(57)【要約】【課題】  袋状のフレックスコンテナには胴回りの大きさに何種類かのサイズがあるとともに、その断面形状にも丸や四角の形状のものが存在する。このように形状とサイズの異なった多くの種類のフレックスコンテナに共用でき、フレックスコンテナに充填物を投入し易いように開口した形状で支持するフレックスコンテナスタンドが利用者から要望されていた。【解決手段】  台枠と複数の支柱の接合部において、台枠１に複数固着して設ける支持杆の外周面と、パイプ状の支柱の接合部分内面とで成す筒状の空間に弾性体を挿入して、支柱が弾性体の変形・撓みによって、台枠１に固着して設けた支持杆を中心に全方位に適宜な範囲で傾倒することが可能にしてなる接合部構造を有するフレックスコンテナスタンド。【選択図】図２
2012035906.tif 000002
【特許請求の範囲】
【請求項１】
胴回りの大きさに何種類かのサイズや、その断面形状においても差異のある織布製のフレックスコンテナを開口した形状で支持するため、複数のパイプ状の支柱を台枠上に設ける構造とする。台枠と複数の支柱の接合部において、台枠に複数固着して設ける支持杆の外周面と、パイプ状の支柱の接合部分内面とで成す筒状の空間に弾性体を挿入して、支柱が該弾性体の撓みや変形によって、台枠に固着して設けた支持杆を中心に適宜な範囲で全方位に傾倒変位することが可能にしてなるフレックスコンテナスタンド。
【発明の詳細な説明】
【技術分野】
【０００１】  本発明は織布製袋状のフレックスコンテナ（以下フレックスコンテナ）に充填物を投入し易いように開口した形状で支持するためのフレックスコンテナスタンドに関する技術に関する。
【背景技術】
【０００２】  フレックスコンテナには胴回りの大きさに何種類かのサイズがあるとともに、その断面形状にも丸や四角の形状のものが存在する。【０００３】  現状では何種類かのサイズと丸や四角の断面形状の違いに対応できるフレックスコンテナのスタンド用支持具は存在していない。
【発明の開示】
【発明が解決しようとする課題】
【０００４】  従来のような台枠にフレックスコンテナの支持支柱を固着して設けた場合、形状とサイズの異なったフレックウコンテナの種類にあわせて個々に用意する必要があった。【０００５】  このように形状とサイズの異なった多くの種類のフレックスコンテナに共用でき、フレックスコンテナに充填物を投入し易いように開口した形状で支持するフレックスコンテナスタンドが利用者から要望されていた。【０００６】  従来あるフレックスコンテナ支持用具は、支持する支柱を台枠に固定して設けたものや、支柱や横桟を組立・分解式にしたものであったので、フレックスコンテナに重機のグラブやショベルで投入する際に、固定式の支柱や分解式の支柱や横桟に、時には重機のグラブやショベルが当接して変形や破損が発生することがしばしば認められた。
【課題を解決するための手段】
【０００７】  フレックスコンテナには胴回りの大きさに何種類かのサイズがあるとともに、その断面形状にも丸や四角の形状のものが存在するので、このように形状とサイズの異なった多くの種類のフレックスコンテナに共用できる構造のフレックスコンテナスタンドを創造すること。【０００８】  台枠と複数の支柱の接合部において、台枠に複数固着して設ける支持杆の外周面と、パイプ状の支柱の接合部分内面とで成す筒状の空間に弾性体を挿入して、支柱が弾性体の撓みによって、台枠に固着して設けた支持杆を中心に全方位に適宜な範囲で傾倒することが可能にしてなる接合部構造を有するフレックスコンテナスタンド。【０００９】  複数の支柱が弾性体の作用により、支柱が適宜な復元力を持ちつつ揺動可能な可撓状態を現出することによって、支柱が垂直状態からレックスコンテナ中心側に傾倒して、大径のレックスコンテナから小径レックスコンテナの円周長に合わすことが可能であるので、何種類かの形状とサイズの異なったフレックスコンテナを適宜な開口張力を持って開口状態に支持することが可能な構造を得られる。
【発明の効果】
【００１０】  フレックスコンテナを開口した形状で支持するための複数の支柱と支持台枠との接合部に弾性体を介在させて接合締結し、複数の支柱が適宜な復元力を持ちつつ揺動自在な可撓状態になすことによる効果には、複数の種類とサイズの異なるフレックスコンテナに対して使用可能なこと、および複数の支柱が適宜な復元力を持ちつつ揺動自在な可撓状態有することにより他からの外力による変形や、破損を回避できる効果が得られる。【００１１】  該支柱の平面的配置位置をサイズの大きいフレックスコンテナ似合わせて、複数の支柱を垂直な状態になるよう位置せしめ、支柱に適宜な復元力を持ちつつ揺動自在な可撓状態を保有させることにより、サイズの小さいフレックスコンテナの場合においても、該支柱をレックスコンテナの中心側に傾倒させつつフレックスコンテナの上方耳部を支柱の先端部に部分的に折り返して係合することにより容易にフレックスコンテナの設置が可能で、支柱が傾倒することで大きいサイズから小さいサイズのフレックスコンテナに対して共用することが可能である。
しかるに何種類かの形状とサイズの異なったフレックスコンテナを適宜な開口張力を持って開口状態に支持することが可能な構造を得られる。【００１２】  それぞれの支持が変位して傾倒し、支柱の内面と支持杆の上部が当接することによって支柱の傾倒変位限界が規制可能である。  この規制量は対象となる小さいサイズのフレックスコンテナに合わせて決定することで大小複数のフレックスコンテナに対してレックスコンテナスタンドが共用できる要点となる。【００１３】  それぞれの支柱が全方位へ揺動変位するので、収容物をフレックスコンテナに詰める段階で、詰め込みに用いるクレーンや作業重機および容器の一部がフレックスコンテナや支柱に当接した場合においても、その作用力を受ける複数の支柱が撓むことで当該部分の変形や破損を回避できるとともに、変形や破損が生じたとしても、それを最小限に軽減できる。【００１４】  内容物を収容した満杯のフレックスコンテナの耳部を各支柱の上端部から外して、フレックスコンテナの吊を用いてクレーンや作業重機で吊上げるときは、夫々の支柱が弾性体の作用効果により自動的に垂直に成るとともに、場合によっては支柱がフレックスコンテナの周囲外方側に傾倒して逃げることにより吊上げに対しての障害性を軽減できる。【００１５】  それぞれの支柱上方の適宜な位置にＣ型フックを固着して設ける。Ｃ型フックの上方のフック部はフレックスコンテナスタンド全体の吊上げ時にロープ等を掛けて用いる。
下方のフックはフレックスコンテナの設置時において、フレックスコンテナに備える吊環等を係合する為のもので、選択的に使用するものである。【００１６】  フレックスコンテナの丸や四角の形状に対しては、支柱に可撓状態を保有させたことによりでフレックスコンテナの胴部分の布幅をいっぱいに緊張させて開口することにより、フレックスコンテナの丸や四角の形状に関係なく対応が可能である。
【発明を実施するための最良の形態】
【００１７】  以下本発明の実施の形態として実施例を［図１］、［図２］に基づいて説明する。【００１８】  台枠１と複数の支柱２の接合部において、台枠１に複数固着して設ける支持杆４の外周面と、パイプ状の支柱２の接合部分内面とで成す筒状の空間に弾性体３を挿入して、支柱２が弾性体３の変形・撓みによって、台枠１に固着して設けた支持杆４を中心に全方位に適宜な範囲で傾倒することが可能にしてなる接合部構造を有するフレックスコンテナスタンドの具現化。【００１９】  台枠１に複数固着して設ける支持杆４の外周面と、パイプ状の支柱２の接合部内面とで成す筒状の空間に弾性体３を挿入については、弾性体３の材質にお合った溶着方式や接着方式を選択して支持杆４の外周面と、パイプ状の支柱２の接合部内面のそれぞれに弾性体３を結合固着する。【００２０】  各支柱２の全方位への傾倒量規制は、支持杆４の頭部５外周面とパイプ状の支柱２の接合部内面が当接することによって全方位で具現化できる。この規制量については弾性体３の変形や変位を勘案して決定する。【００２１】  支柱２の傾倒時の復元力の設定については、フレックスコンテナ１１の開口に必要な張力に見合った値で設定する必要がある。。
筒状の弾性体３の外形（パイプ状の支柱２の内径）と内径（支持杆４の外径）、および弾性体３の長さ（高さ）、及び弾性対３の弾性率の４要素を組み合わせて選定することにより設定して具現化することを要す。【００２２】  各支柱２の上方にはＣ型吊フック８を固着して設ける。下部のフック部にはフレックスコンテナ１１に備える吊環等が存在する場合に、吊環等を係合することが目的である。
上部のフック部はフレックスコンテナスタンド全体をクレーン等で吊上げる際に、吊上げロープ等を係合して用いることが目的である。【００２３】  台枠１には複数の自在キャスタ９，１０等を固着して設ける。そのうちの一対の自在キャスタ９にロック装置を備えることが有効である。何故なら床面の傾斜や振動によるフレックスコンテナスタンド全体の変位や移動を防止できる。【００２４】  台枠１には複数の自在キャスタ９，１０等を固着して設けたことにより、台枠１の下部にフォークリフトのフォークを差し入れる入れる空間が確保できるため、フレックスコンテナスタンド全体移動をフォークリフトを用いて行うことが可能である。【００２５】  座金６は支持杆４を台枠１に固着に用いる。支持杆４に設けらネジ部を台枠１に貫通させナット７で台枠１に支持杆４を確実に固着することができる。
【図面の簡単な説明】
【００２６】
【図１】本発明の実施例を示す正面図。
【図２】本発明の［図１］中のＡ−Ａ断面図。
【符号の説明】
【００２７】          １                台枠
２                支柱
３                弾性体
４                支持杆
５                頭部
６                座金
７                ナット
８                Ｃ型フック
９                自在キャスタ（ロック装置付）
１０                自在キャスタ
１１                フレックスコンテナ
【図１】
2012035906.tif 000003
【図２】
2012035906.tif 000004